(57)【要約】【課題】閉じ具を必要とせずユーザーの取り扱いを容易にするとともに、製造を容易にし、開口部の伸びを防いで収容物の脱落を防ぐことのできる収容袋を提供すること。【解決手段】収容袋Ａは内形が収容する物品の外形とほぼ等しくするとともに、一方を開口した袋状の形状を有し、開口部２内周には内周面に沿ってクッション材３と、該クッション材３及び袋本体１を構成する素材よりも伸縮性、復元性、耐久性の高い補助素材４とを重ね合わせて配置し、開口部２を弾性を有する肉厚に形成し、上記補助素材４をテープ状の熱可塑性ポリウレタン樹脂で構成した。【選択図】図１
0003132096.tif 000002
【実用新案登録請求の範囲】
【請求項１】
内形を収容する物品の外形とほぼ等しくするとともに一方が開口した袋状の形状を有し、開口部内周には内周面に沿ってクッション材と、該クッション材及び袋本体を構成する素材よりも伸縮性、復元性、耐久性の高い補助素材とを重ね合わせて配置し、開口部を弾性を有する肉厚に形成したことを特徴とする収納袋。
【請求項２】
前記補助素材は、熱可塑性ポリウレタン樹脂のシートであることを特徴とする請求項１記載の収納袋。
【考案の詳細な説明】
【技術分野】
【０００１】
本考案は、収納袋、詳しくは収容した物品が脱落しにくく、繰り返し収容物を出し入れしても開口部が広がらない収容袋に関するものである。
【背景技術】
【０００２】
一般に、収納袋は収納した物品の脱落を防止するために開口部を締め切って収容物が脱落しないように開口部を閉じる閉じ具（紐、ボタン、ファスナー等）を設けたものが使用されている。
【考案の開示】
【考案が解決しようとする課題】
【０００３】
本考案が解決しようとする問題点は、上述の収容袋は閉じ具で開口部を閉じているため収容物が脱落しない反面、閉じ具を操作して開口部を開放させなければならず、ユーザーが収容物をすばやく取り出せないなどの不便が生じているとともに、閉じ具を開口部に取り付ける取り付け作業を製造工程に加えなければならない点であった。
【０００４】
本考案は、上記問題点を解決し、閉じ具を必要とせずユーザーの取り扱い及び製造が容易であり、且つ収容物の脱落、開口部の伸びを防ぐことのできる収容袋を提供することを課題とする。
【課題を解決するための手段】
【０００５】
前記課題を解決するために本考案に係る収納袋は、内形を収容する物品の外形とほぼ等しくするとともに一方が開口した袋状の形状を有し、開口部内周には内周面に沿ってクッション材と、該クッション材及び袋本体を構成する素材よりも伸縮性、復元性、耐久性の高い補助素材とを重ね合わせて配置し、開口部を弾性を有する肉厚に形成したことを特徴とする。
【０００６】
なお、前記補助素材は、熱可塑性ポリウレタン樹脂のシートであることが好ましい。
【考案の効果】
【０００７】
本考案によれば、開口部を閉じる閉じ具に代えて開口部をクッション材で肉厚に形成したため収容物が開口部内周面に圧接して脱落しにくく、しかも収容物の取出しが容易になる収容袋を実現することができる。
【０００８】
また、クッション材とともに伸縮性、復元性、耐久性の高い補助素材を使用しているため開口部が伸び切って内容物が脱落しやすくなることを防止することができる。
【考案を実施するための最良の形態】
【０００９】
図１（ａ）において符号Ａは、本考案に係る収容袋を示し、この収容袋Ａは携帯用ゲーム器などを収容し、保護するためのもので、出し入れが容易であるとともに、収容した携帯用ゲーム器などの収容物が脱落しにくく取り出しやすいように構成されているものである。
【００１０】
収容袋Ａを構成する袋本体１は布（テトロンコットン）を汚れや水分等から保護するためにポリウレタンで表面加工したもので内形が収容する物品の外形とほぼ等しくなるように、幅Ｗ１が収容する収容物の厚さＷ２とほぼ等しく、深さＬ１が収容物の高さＬ２とほぼ等しくし、一端が開口した略方形の袋状に形成し、開口部２内周には、図１（ｂ）に示すように、クッション材３を設け、クッション材３で開口部２を肉厚に形成して開口部が狭くなるようにし、紐、ボタン、ファスナーなどの閉じ具を設けることなく収容物が脱落しないようにするとともに、クッション材３の内周側には伸縮性、復元性、耐久性の高い補助素材４を配置したものである。本発明では上記クッション材３にウレタンを用い、補助素材４には熱可塑性ポリウレタン樹脂を用いた。
【００１１】
この収容袋Ａは、図２（ａ）に示すように、袋本体１を構成する布５の裏面５ａの長手方向両端部にテープ状の補助素材４を重ね、その上に帯状のクッション材３を重ねたのち、クッション材４と補助素材３とを包むように両端部の表面５ｂをそれぞれ裏面５ａ側に折り返し、折り返し部６とともにクッション材３と補助素材４とをａ線に沿って縫製することによりクッション材３と補助素材４とを折り返し部６に収容し、肉厚部７が形成された状態にする。その後、図２（ｃ）に示すように、裏面５ａが外側になるように布５を中央から折って、布５の両側部と下部とをそれぞれｂ線、ｃ線に沿って縫製して袋状にし（図２（ｄ）参照）、図２（ｅ）に示すように、裏返すと折り返し部６が開口部２の内側に位置し、肉厚部７を備えた開口部２を有する収容袋Ａを形成することができる。
【００１２】
なお、ｂ線に沿って布５の両側部を縫製する際、補助部材４を若干引き延ばした状態で縫製することが好ましい。このことにより縫製後に補助部材４が復元した時には開口部２の内周が収容物の外周よりも若干小さくすることができる。
【００１３】
上述のようにして形成した収容袋Ａは、深さＬ１が収容物Ｂの高さＬ２とほぼ等しく、幅Ｗ１が収容物Ｂの厚みＷ２とほぼ等しいので内部の形状が収容物の形状とほぼ等しいなっている（図３（ａ）（ｂ）参照）。
【００１４】
上記収容袋Ａに収容物Ｂを収容する際は、図３（ａ）に示すように、開口部２から収容物Ｂを押し込むことになるが、収容物Ｂを実際に開口部２に押し込む際は、図３（ｂ）に示すように、肉厚部７を左右に押し広げながら押し込むことになる。図３（ｃ）に示すように、収容物Ｂを収容袋Ａに収容した状態では収容袋Ａの深さＬ１が収容物Ｂの高さＬ２とほぼ等しいので、収容物Ｂの上部は開口部２の肉厚部７に対応するが、開口部２の内周面が肉厚になっているので肉厚部７で開口部２が狭められた状態にあるので、収容物Ｂが肉厚部７で押さえつけられて開口部２から脱落しにくくなる。
【００１５】
図４（ａ）に示すように、収容袋Ａの中に収容物Ｂが収容されている状態で、この収容物Ｂを取り出すときは、図４（ｂ）に示すように収容袋Ａの底を下から押せば収容物Ｂは開口部２から押し出されて突出するので突出した部分を掴んで収納袋から引き出すことができるので、一々紐をほどいたり、ボタンを外したり、ファスナーを開いたりするなどの開口部の開口操作をすることなく収容物を容易に取り出すことができる。
【００１６】
収容物Ｂを出し入れする際は、開口部２を無理やり広げることになり、繰り返し収容物Ｂの出し入れを行なうことによりクッション材３が伸びて開口部２の閉鎖状態が維持できなくなる可能性があるが、ゴムのように柔らかくプラスチックや金属のように強靭な熱可塑性ポリウレタン樹脂からなる補助素材４が開口部２の状態を維持するのでクッション材３の伸びをリカバリーしていつまでも開口部２の閉鎖した状態を維持することができ、開口部を閉じるボタンやファスナーなどの閉じ具を用いることなく収容物Ｂの脱落を防止することができるとともに、閉じ具を操作することなく収容物Ｂを取り出すことができ、製造する側にとっても使用する側にとっても有効な収容袋Ａを実現することができる。
【図面の簡単な説明】
【００１７】
【図１】（ａ）（ｂ）は本発明に係る収容袋の正面図及びＸ部のＹ−Ｙ線拡大端面図
【図２】（ａ）〜（ｅ）は上記収容袋の製造の一例を説明する説明図
【図３】（ａ）〜（ｃ）は上記収容袋に収容物を収容する状態の説明図
【図４】（ａ）（ｂ）は収用袋に収容物が収容された状態及び収容された収容物が収容袋から押出された状態の説明図
【符号の説明】
【００１８】
１    袋本体
２    開口部
３    クッション材
４    補助素材
７    肉厚部
Ａ    収容袋
Ｂ    収容物
【図１】
0003132096.tif 000003
【図２】
0003132096.tif 000004
【図３】
0003132096.tif 000005
【図４】
0003132096.tif 000006